(57)【要約】  日射遮蔽装置の操作装置（６）は、巻取軸（３）の一端側の領域に設けられるプーリー（１５）と、プーリー（１５）に掛装される操作コード（７）と、操作コード（７）の操作により巻取軸（３）を回転駆動する駆動機構と、を備える。駆動機構は、プーリー（１５）を回転可能に支持し、支持ブラケット（２ａ）に対し回動可能で且つ支持ブラケット（２ａ）から自重により垂下されるケース（１０）と、ケース（１０）に設けられ、プーリー（１５）の回転を巻取軸（３）に伝達する伝達機構（１６，１７，１８）とを備える。
2012161195.tif 000002
【特許請求の範囲】
【請求項１】
取付面に固定される一対の支持ブラケットに回転可能に支持される巻取軸と、
前記巻取軸の回転に基づいて昇降される日射遮蔽材と、
前記巻取軸の一端側の領域に設けられるプーリーと、
前記プーリーに掛装される操作コードと、
前記操作コードの操作により前記巻取軸を回転駆動する駆動機構と
を備えた日射遮蔽装置において、
前記駆動機構は、
前記プーリーを回転可能に支持し、前記支持ブラケットに対し回動可能で且つ前記支持ブラケットから自重により垂下されるケースと、
前記ケースに設けられ、前記プーリーの回転を前記巻取軸に伝達する伝達機構と
を備えたことを特徴とする日射遮蔽装置の操作装置。
【請求項２】
前記ケースを合成樹脂で形成するとともに、前記支持ブラケットに固定される支軸に回動可能に支持し、
前記ケースに金属板で形成した回動プレートを取着したことを特徴とする請求項１記載の日射遮蔽装置の操作装置。
【請求項３】
前記ケースに前記支軸を挿通可能とした透孔を設け、前記透孔の周囲に軸部を設け、前記軸部に前記回動プレートを嵌合したことを特徴とする請求項２記載の日射遮蔽装置の操作装置。
【請求項４】
前記ケースと前記回動プレートとの間に前記プーリーと前記伝達機構とを支持したことを特徴とする請求項２又は３記載の日射遮蔽装置の操作装置。
【請求項５】
前記ケース及び前記回動プレートを前記支持ブラケットに対し任意角度に保持する保持装置を備えたことを特徴とする請求項２乃至４のいずれか１項に記載の日射遮蔽装置の操作装置。
【請求項６】
前記支持ブラケットに固定される支軸に対し前記ケースをその基端部において回動可能に支持し、
前記伝達機構は複数の平歯車を含み、それら平歯車の列における１段目の平歯車を前記プーリーに一体に形成し、前記プーリーを前記１段目の平歯車から前記巻取軸の軸方向中央に向かって突出するように設けるとともに、前記ケースの先端部に支持したことを特徴とする請求項１記載の日射遮蔽装置の操作装置。
【請求項７】
前記ケースには前記プーリーを覆うカバーを設け、前記カバーは前記ケースから前記巻取軸の軸方向中央に向かって突出することを特徴とする請求項６記載の日射遮蔽装置の操作装置。
【請求項８】
前記伝達機構は、
前記プーリーと一体に形成された駆動歯車と、
前記駆動歯車に噛み合う中間歯車と、
前記中間歯車の回転を前記巻取軸に伝達する伝達歯車と
を備えたことを特徴とする請求項４乃至７のいずれか１項に記載の日射遮蔽装置の操作装置。
【請求項９】
前記ケースには、前記操作コードをガイドするガイド部を設け、前記ガイド部を下方に開口したことを特徴とする請求項１乃至８のいずれか１項に記載の日射遮蔽装置の操作装置。
【請求項１０】
前記駆動機構及び前記ケースを前後方向に線対称状に形成したことを特徴とする請求項１乃至９のいずれか１項に記載の日射遮蔽装置の操作装置。
【請求項１１】
取付面に固定される一対の支持ブラケットに回転可能に支持される巻取軸と、
前記巻取軸の回転に基づいて昇降される日射遮蔽材と、
前記巻取軸の一端側の領域に設けられるプーリーと、
前記プーリーに掛装される操作コードと、
前記操作コードの操作により前記巻取軸を回転駆動する駆動機構と
を備えた日射遮蔽装置において、
前記駆動機構は、
前記プーリーを回転可能に支持し、前記支持ブラケットから垂下されると共に、前記操作コードの前後方向の牽引角に応じた角度で傾斜するよう前記支持ブラケットに対して前後に回動可能なケースと、
前記ケースに設けられ、前記プーリーの回転を前記巻取軸に伝達する伝達機構と
を備えたことを特徴とする日射遮蔽装置の操作装置。
【発明の詳細な説明】
【技術分野】
【０００１】
この発明は、日射遮蔽装置の操作装置に関し、例えば、ロールブラインドのスクリーン、プリーツスクリーンやたくし上げカーテンの生地を昇降操作する操作装置に関するものである。
【背景技術】
【０００２】
ロールブラインドは、取付面に固定される支持ブラケット間に巻取軸が回転可能に支持され、その巻取軸からスクリーンが吊下支持されている。そして、操作装置の操作により、巻取軸をスクリーン巻取り方向に回転させると、スクリーンが巻取軸に巻き取られて引き上げられ、巻取軸をスクリーン巻戻し方向に回転させると、スクリーンが巻取軸から巻き戻されて下降する。【０００３】
前記操作装置は、一方の支持ブラケットにプーリーが回転可能に支持され、そのプーリーに無端状の操作チェーンが掛装されている。そして、操作チェーンを操作してプーリーを回転させることにより、巻取軸を回転操作可能となっている。
【先行技術文献】
【特許文献】
【０００４】
【特許文献１】特開２０１０−３１５９２号公報
【特許文献２】特開２００９−１３８３２６号公報
【特許文献３】特許２９９４５５２号公報
【特許文献４】特許３１８１８４１号公報
【発明の概要】
【発明が解決しようとする課題】
【０００５】
上記のような操作装置では、巻取軸の端部と支持ブラケットとの間にプーリーが配設されるため、スクリーンの端縁と支持ブラケットとの間にプーリーの厚さ分の隙間が生じる。従って、支持ブラケットが窓の上枠の下面に天井付けされる場合には、スクリーンの端縁と窓枠との間に隙間が生じ、その隙間から光が漏れるという問題点がある。特に、横幅の狭い窓に取着されるロールブラインドでは、この隙間がスクリーンの横幅に対し相対的に大きくなるため、美観上好ましくない。【０００６】
特許文献１には、操作チェーンを掛装するプーリーを、天井付けした巻取軸の下方に位置させることにより、スクリーンの端縁と窓枠との隙間を縮小するようにしたロールブラインドの操作装置が開示されている。【０００７】
しかし、この操作装置では巻取軸を正面付けした場合に、プーリーを支持するブラケットが室内側に張り出してしまい、美観上好ましくない。【０００８】
特許文献２に開示された操作装置も、特許文献１に開示された操作装置と同様に、正面付けした場合に、プーリーを支持するブラケットが室内側に張り出してしまう。【０００９】
特許文献３には、操作コードの引き出し方向を前後方向に切り替え可能とした操作装置が開示されている。しかし、操作コードの引き出し方向を切り替えるには、案内部材の付け替え作業が必要となる。【００１０】
特許文献４には、プーリーカバーの開口方向を調整可能としたロールブラインドが開示されている。しかし、開口方向を調整するには、ロックピンの回動操作が必要となるため、調整操作が煩雑となるという問題点がある。【００１１】
この発明の目的は、日射遮蔽材の端縁と窓枠との隙間を縮小し、かつ天井付け及び正面付けした場合にも、付け替え作業を必要とすることなく、室内への張り出しを防止し得る日射遮蔽装置の操作装置を提供することにある。
【課題を解決するための手段】
【００１２】
本発明では、取付面に固定される一対の支持ブラケットに回転可能に支持される巻取軸と、前記巻取軸の回転に基づいて昇降される日射遮蔽材と、前記巻取軸の一端側の領域に設けられるプーリーと、前記プーリーに掛装される操作コードと、前記操作コードの操作により前記巻取軸を回転駆動する駆動機構とを備えた日射遮蔽装置において、前記駆動機構は、前記プーリーを回転可能に支持し、前記支持ブラケットに対し回動可能で且つ前記支持ブラケットから自重により垂下されるケースと、前記ケースに設けられ、前記プーリーの回転を前記巻取軸に伝達する伝達機構とを備えた。【００１３】
本発明の一態様では、前記ケースを合成樹脂で形成するとともに、前記支持ブラケットに固定される支軸に回動可能に支持し、前記ケースに金属板で形成した回動プレートを取着した。【００１４】
本発明の一態様では、前記ケースに前記支軸を挿通可能とした透孔を設け、前記透孔の周囲に軸部を設け、前記軸部に前記回動プレートを嵌合した。【００１５】
本発明の一態様では、前記ケースと前記回動プレートとの間に前記プーリーと前記伝達機構を支持した。【００１６】
本発明の一態様では、前記ケースと前記回動プレートとの少なくともいずれか一方には、前記ケース及び前記回動プレートを前記支持ブラケットに対し任意角度に保持する保持装置を備えた。【００１７】
本発明の一態様では、前記支持ブラケットに固定される支軸に対し前記ケースをその基端部において回動可能に支持し、前記伝達機構は複数の平歯車を含み、それら平歯車の列における１段目の平歯車を前記プーリーに一体に形成し、前記プーリーを前記１段目の平歯車から前記巻取軸の軸方向中央に向かって突出するように設けるとともに、前記ケースの先端部に支持した。【００１８】
本発明の一態様では、前記ケースには前記プーリーを覆うカバーを設け、前記カバーは前記ケースから前記巻取軸の軸方向中央に向かって突出する。【００１９】
本発明の一態様では、前記伝達機構は、前記プーリーと一体に形成された駆動歯車と、前記駆動歯車に噛み合う中間歯車と、前記中間歯車の回転を前記巻取軸に伝達する伝達歯車とを備えた。【００２０】
本発明の一態様では、前記ケースには、前記操作コードをガイドするガイド部を設け、前記ガイド部を下方に開口した。【００２１】
本発明の一態様では、前記駆動機構及び前記ケースを前後方向に線対称状に形成した。【００２２】
また、本発明では、取付面に固定される一対の支持ブラケットに回転可能に支持される巻取軸と、前記巻取軸の回転に基づいて昇降される日射遮蔽材と、前記巻取軸の一端側の領域に設けられるプーリーと、前記プーリーに掛装される操作コードと、前記操作コードの操作により前記巻取軸を回転駆動する駆動機構と
を備えた日射遮蔽装置において、前記駆動機構は、前記プーリーを回転可能に支持し、前記支持ブラケットから垂下されると共に、前記操作コードの前後方向の牽引角に応じた角度で傾斜するよう前記支持ブラケットに対して前後に回動可能なケースと、前記ケースに設けられ、前記プーリーの回転を前記巻取軸に伝達する伝達機構とを備えた。
【発明の効果】
【００２３】
本発明によれば、日射遮蔽材の端縁と窓枠との隙間を縮小し、かつ天井付け及び正面付けした場合にも、付け替え作業を必要とすることなく、室内への張り出しを防止し得る日射遮蔽装置の操作装置を提供することができる。
【図面の簡単な説明】
【００２４】
【図１】ロールブラインドを示す正面図である。
【図２】ロールブラインドを示す縦断面図である。
【図３】操作装置を示す断面図である。
【図４】操作装置を示す分解斜視図である。
【図５】操作装置の動作を示す説明図である。
【図６】操作装置の動作を示す説明図である。
【図７】操作装置の動作を示す説明図である。
【図８】操作装置の動作を示す説明図である。
【図９】ロールブラインドを示す正面図である。
【図１０】ロールブラインドを示す背面図である。
【図１１】ロールブラインドを示す平面図である。
【図１２】ロールブラインドを示す底面図である。
【図１３】ロールブラインドを示す右側面図である。
【図１４】ロールブラインドを示す左側面図である。
【図１５】図９におけるXV−XV´部の部分拡大斜視図である。
【発明を実施するための形態】
【００２５】
以下、この発明を具体化した一実施形態を図面に従って説明する。図１及び図２と、図９〜図１５に示すロールブラインドは、フレーム１の両端に金属の板材で形成された支持ブラケット２ａ，２ｂがそれぞれ取着され、その支持ブラケット２ａ，２ｂ間に巻取軸３が回転可能に支持されている。
【００２６】
前記フレーム１は、取付ブラケット１３を介して取付面に固定される。図１及び図２に示すロールブラインドでは、フレーム１が水平な取付面に天井付けされている。また、フレーム１が垂直な取付面に正面付けされたり、傾斜した取付面に取着されたりする場合もある。
【００２７】
前記巻取軸３にはスクリーン４の上端部が取着され、スクリーン４の下端にはウェイトバー５が取着されている。そして、巻取軸３がスクリーン４の巻取り方向に回転されると、スクリーン４が巻取軸３に巻き取られて引き上げられ、巻取軸３がスクリーン４の巻き戻し方向に回転されると、スクリーン４が巻取軸３から巻き戻されて下降する。
【００２８】
前記支持ブラケット２ａには前記巻取軸３を回転駆動する操作装置６が設けられ、その操作装置６から無端状のボールチェーン７が垂下されている。そして、ボールチェーン７の操作により前記巻取軸３を回転操作可能となっている。図１は、操作装置６がフレーム１の右端部に取着される右操作用のロールブラインドである。
【００２９】
次に、前記操作装置６の具体的構成を図３及び図４に従って説明する。前記支持ブラケット２ａの下部には、前記巻取軸３の軸方向に延びる支軸８の基端部がネジ９で取着されている。
【００３０】
前記支軸８の基端部には合成樹脂で形成されたケース１０がその基端部において回動可能に支持されている。前記ケース１０には前記支軸８を挿通するための透孔１１が形成され、その透孔１１の周囲には前記支持ブラケット２ａに向かって突出する軸部１２が形成されている。
【００３１】
前記軸部１２には前記支持ブラケット２ａと同様な金属板で形成された回動プレート１４が取着される。すなわち、前記回動プレート１４には前記軸部１２を嵌挿可能とした透孔２２が形成され、その透孔２２に前記軸部１２が嵌挿されている。そして、前記回動プレート１４は前記ケース１０と支持ブラケット２ａとの間に挟まれた状態で、前記支軸８を回動支点（回動軸線）として前記ケース１０と一体に回転するようになっている。また、ケース１０は常にはその自重により支軸８から垂下されるように、前記ケース１０の透孔１１の内周面と支軸８との摩擦が小さくなるように設定されている。
【００３２】
前記回動プレート１４には、前記透孔２２の下方において、透孔２２を中心とするほぼ１８０度の範囲で円弧状のガイド溝２３が形成されている。また、前記支持ブラケット２ａには前記ガイド溝２３内に突出する係合突起２４が形成されている。そして、前記回動プレート１４及びケース１０は、支持ブラケット２ａに対し、係合突起２４がガイド溝２３内を移動し得るほぼ１８０度の範囲で回動可能となっている。
【００３３】
前記ケース１０の下部すなわち先端部には、前記回動プレート１４に向かって突出する軸部２５が形成され、その軸部２５にプーリー１５が回転可能に支持されている。そして、回動プレート１４の透孔２６から前記軸部２５の中心部に螺入される固定ネジ２７で回動プレート１４がケース１０の一側部を塞ぐように固定されている。
【００３４】
前記プーリー１５には前記ボールチェーン７が掛装されている。前記ケース１０には、前記プーリー１５に掛装されたボールチェーン７の周囲に位置して、ボールチェーン７のプーリー１５からの外れを防止するようにボールチェーン７をガイドするガイド部２８が形成されている。ガイド部２８は、プーリー１５を覆うカバーとしても機能し、ケース１０から前記巻取軸３の軸方向中央に向かって突出している。前記ガイド部２８には、ケース１０の下方に向かって開口する開口部２９が形成され、その開口部２９からボールチェーン７が垂下されている。
【００３５】
前記プーリー１５の軸方向一側部、すなわち前記回動プレート１４の方を向く側部には、駆動歯車１６が一体に形成されている。言い換えれば、プーリー１５が駆動歯車１６から前記巻取軸３の軸方向中央に向かって突出している。
【００３６】
前記駆動歯車１６の上方において、前記ケース１０には前記駆動歯車１６に噛み合う中間歯車１７が回転可能に支持されている。また、前記支軸８には前記中間歯車１７に噛み合う伝達歯車１８が回転可能に支持されている。従って、プーリー１５の回転にともなって駆動歯車１６が回転されると、中間歯車１７を介して伝達歯車１８が回転される。
【００３７】
前記伝達歯車１８の先端部はキャップ１９に嵌着され、そのキャップ１９が前記巻取軸３に嵌着されている。従って、前記伝達歯車１８の回転に基づいて巻取軸３が回転される。駆動歯車１６、中間歯車１７及び伝達歯車１８は、プーリー１５の回転を巻取軸３に伝達する伝達機構を構成する複数の平歯車である。駆動歯車１６は、複数の平歯車よりなる歯車列の１段目の歯車であり、伝達歯車１８はその歯車列の最終段の歯車である。
【００３８】
前記伝達歯車１８と支軸８との間にはブレーキ装置２０が設けられている。このブレーキ装置２０は、支軸８と一体回転可能にかつ軸方向に移動不能に支持されたブレーキドラム３１の外周面に設けられ、両端部に突起が設けられている。そして、前記伝達歯車１８と一体に回転する凸部３０と前記突起が当接するまでに所定の空転角（この場合３０度）を設けられている。前記凸部３０と前記突起が当接すると、前記ブレーキ装置が解除方向に作用するため、伝達歯車１８の回転に基づくキャップ１９の回転を許容し、巻取軸３からキャップ１９に伝達される回転トルクによるキャップ１９の回転を阻止するように動作する。
【００３９】
上記のように構成された操作装置６において、ケース１０及び回動プレート１４と、それらの間に収容される各歯車１６，１７，１８等は支軸８の中心に対し前後方向において線対称状に形成されている。より詳細には、ケース１０及び回動プレート１４と、それらの間に収容される各歯車１６，１７，１８等は、軸部１２の軸線と軸部２５の軸線とを含む平面に関して対称である。従って、操作装置６をフレーム１の左端部にも同様に取着して、左操作用のロールブラインドを構成することも可能である。
【００４０】
図１に示すように、前記巻取軸３内の一側部には捩りコイルスプリングで形成されるスプリングモーター２１が設けられている。このスプリングモーター２１は、一端が前記支持ブラケット２ｂに対し固定され、他端が前記巻取軸３の内周面に固定されている。そして、巻取軸３がスクリーン巻き戻し方向に回転されてスクリーン４が下降するとき、スプリングモーター２１が蓄勢される。また、巻取軸３がスクリーン巻取り方向に回転されるとき、スプリングモーター２１の付勢力が巻取軸３を回転操作するための操作力を軽減するようになっている。
【００４１】
次に、上記のように構成されたロールブラインドの操作装置の作用を説明する。
【００４２】
ボールチェーン７の不操作時には、図２及び図５に示すように、操作装置６のケース１０及び回動プレート１４は支持ブラケット２ａから下方に垂下され、駆動歯車１６及び中間歯車１７の中心は、伝達歯車１８の中心を通る鉛直線上に位置する。
【００４３】
ボールチェーン７をスクリーン４の下降方向に操作すると、プーリー１５の回転が駆動歯車１６、中間歯車１７及び伝達歯車１８を介して巻取軸３に伝達される。すると、スクリーン４が巻取軸３から巻き戻されて下降し、スプリングモーター２１が蓄勢される。
【００４４】
スクリーン４を所望高さまで下降させた後、ボールチェーン７を手放すと、ブレーキ装置２０の作用により、スクリーン４が所望高さに保持される。
【００４５】
ボールチェーン７をスクリーン４の引き上げ方向に操作すると、プーリー１５の回転が巻取軸３に伝達されて、スクリーン４が巻取軸３に巻き取られて上昇する。このとき、スプリングモーター２１の付勢力により、スクリーン４の巻取り操作に要する操作力が軽減される。
【００４６】
このようなスクリーン４の昇降操作時に、ボールチェーン７を室内側に向かって斜め下方に引くと、図６に示すように、ケース１０及び回動プレート１４が鉛直線に対して傾斜するように一体に回動する。そして、ボールチェーン７を手放すと、ケース１０及び回動プレート１４は支軸８から垂下され、図５に示す状態に復帰する。
【００４７】
また、ケース１０及び回動プレート１４はガイド溝２３の範囲で前後方向（図６の左右方向）に回動可能であるため、操作装置６をフレーム１の左端に取着した場合には、ボールチェーン７を室内側に向かって斜め下方に引くと、ケース１０及び回動プレート１４が図６に鎖線で示すように回動する。
【００４８】
以上のように、ケース１０及び回動プレート１４は、ボールチェーン７の前後方向の牽引角（鉛直線に対するボールチェーン７の傾斜角）に応じた角度で傾斜するよう、支持ブラケット２ａ（２ｂ）に対して前後に回動可能である。
【００４９】
図７は、上記ロールブラインドのフレーム１を壁面等の垂直面に取着する正面付けとした場合を示す。この場合にも、ケース１０及び回動プレート１４は自動的に支軸８から垂下される状態となる。
【００５０】
そして、スクリーン４の昇降操作時に、ボールチェーン７を室内側に向かって斜め下方に引くと、図８に示すように、ケース１０及び回動プレート１４が鉛直線に対して傾斜するように一体に回動される。また、ボールチェーン７を手放すと、ケース１０及び回動プレート１４は図７に示す状態に復帰する。
【００５１】
上記のように構成されたロールブラインドの操作装置では、次に示す利点を得ることができる。
【００５２】
（１）ボールチェーン７が掛装されるプーリー１５は、巻取軸３の一端側の領域において巻取軸３の下方に位置して、巻取軸３とは同軸上に位置していない。従って、巻取軸３と支持ブラケット２ａとの間にプーリー１５を配設するためのスペースを確保する必要はなく、スクリーン４の端縁と支持ブラケット２ａとの間の隙間を小さくすることができる。
【００５３】
（２）スクリーン４の端縁と支持ブラケット２ａとの間の隙間を小さくすることができるので、その隙間からの光の漏れを防止することができる。特に、横幅の狭い窓に取着されるロールブラインドにおいて、スクリーン４の端縁と窓枠との間の隙間を小さくして、美観を向上させることができる。
【００５４】
（３）プーリー１５、駆動歯車１６及び中間歯車１７を支持するケース１０と、ケース１０に取り付けられる回動プレート１４とを巻取軸３の支軸８から垂下したので、ケース１０及び回動プレート１４が室内側に突出することはない。
【００５５】
（４）ケース１０及び回動プレート１４が支軸８から自重により鉛直方向に垂下されているので、フレーム１を天井付け及び正面付けした場合、あるいは斜め方向の壁面に取着した場合にも、付け替え操作等を必要とすることなく、ケース１０及び回動プレート１４を支軸８から下方に垂下させることができる。
【００５６】
（５）ボールチェーン７を斜め下方に引いたとき、ケース１０及び回動プレート１４が傾斜するように一体に回動するので、ボールチェーン７をケース１０から引き出す開口部２９を常にボールチェーン７の引き出し方向に向かって位置させることができる。従って、ボールチェーン７によるプーリー１５の回転操作を円滑に行うことができる。
【００５７】
（６）合成樹脂のケース１０を支軸８に回動可能に支持し、そのケース１０に金属の回動プレート１４を取着したので、ケース１０及び回動プレート１４を支軸８に対し円滑に回動させることができる。
【００５８】
（７）駆動歯車１６の回転を中間歯車１７を介して伝達歯車１８に伝達するので、駆動歯車１６と伝達歯車１８との回転方向を一致させることができる。従って、スクリーン４の昇降操作時に、ボールチェーン７の操作方向を、プーリー１５で巻取軸３を直接回転させる場合と同一とすることができる。
【００５９】
（８）駆動歯車１６、中間歯車１７及び伝達歯車１８を収容するケース１０と回動プレート１４とを、支持ブラケット２ａに取着される支軸８を中心として前後方向に線対称状に形成したので、操作装置６をフレーム１の左右端のいずれにも取着することができる。従って、右操作用及び左操作用の操作装置として共通化することができる。
【００６０】
上記実施形態は、以下の態様で実施してもよい。
【００６１】
・中間歯車１７を省略して、駆動歯車１６を伝達歯車１８に噛み合わせてもよい。この場合には、プーリー１５の回転方向と巻取軸３の回転方向は一致しない。
【００６２】
・プーリーの回転を、歯車列以外の伝達機構、例えばタイミングベルト等の伝達手段で巻取軸に伝達するようにしてもよい。
【００６３】
・上記実施形態では、日射遮蔽装置の一例としてロールブラインドについて説明した。しかし、本発明の操作装置は、ロールブラインド以外に、たくし上げカーテンやプリーツスクリーン等の日射遮蔽装置の操作装置として使用することもできる。
【００６４】
・ケース１０及び回動プレート１４を支持ブラケット２ａに対し任意の角度で保持する保持装置を設けてもよい。保持装置は、例えば、支持ブラケット２ａの設けられた第１係合部と、ケース１０及び回動プレート１４の少なくともいずれか一方に設けられて前記第１係合部に対して係合離脱可能な第２係合部とによって構成される。
【符号の説明】
【００６５】
２ａ，２ｂ…支持ブラケット、３…巻取軸、４…日射遮蔽材（スクリーン）、６…操作装置、７…操作コード（ボールチェーン）、８…支軸、１０…駆動機構（ケース）、１１…透孔、１２…軸部、１４…回動プレート、１５…プーリー、１６，１７，１８…伝達機構（駆動歯車、中間歯車、伝達歯車）、２８…ガイド部（カバー）。
【図１】
2012161195.tif 000003
【図２】
2012161195.tif 000004
【図３】
2012161195.tif 000005
【図４】
2012161195.tif 000006
【図５】
2012161195.tif 000007
【図６】
2012161195.tif 000008
【図７】
2012161195.tif 000009
【図８】
2012161195.tif 000010
【図９】
2012161195.tif 000011
【図１０】
2012161195.tif 000012
【図１１】
2012161195.tif 000013
【図１２】
2012161195.tif 000014
【図１３】
2012161195.tif 000015
【図１４】
2012161195.tif 000016
【図１５】
2012161195.tif 000017
【手続補正書】
【提出日】平成25年8月8日(2013.8.8)
【手続補正１】
【補正対象書類名】特許請求の範囲
【補正対象項目名】全文
【補正方法】変更
【補正の内容】
【特許請求の範囲】
【請求項１】
取付面に固定される一対の支持ブラケットに回転可能に支持される巻取軸と、
前記巻取軸の回転に基づいて昇降される日射遮蔽材と、
前記巻取軸の一端側の領域に設けられるプーリーと、
前記プーリーに掛装される操作コードと、
前記操作コードの操作により前記巻取軸を回転駆動する駆動機構と
を備えた日射遮蔽装置において、
前記駆動機構は、
前記プーリーを回転可能に支持し、前記支持ブラケットに対し前記巻取軸の軸線を中心に前後に回動可能で且つ前記支持ブラケットに固定される支軸から自重により垂下されるケースと、
前記ケースに設けられ、前記プーリーの回転を前記巻取軸に伝達する伝達機構と
を備えたことを特徴とする日射遮蔽装置の操作装置。
【請求項２】
前記ケースを合成樹脂で形成するとともに、
前記ケースに金属板で形成した回動プレートを取着したことを特徴とする請求項１記載の日射遮蔽装置の操作装置。
【請求項３】
前記ケースに前記支軸を挿通可能とした透孔を設け、前記透孔の周囲に軸部を設け、前記軸部に前記回動プレートを嵌合したことを特徴とする請求項２記載の日射遮蔽装置の操作装置。
【請求項４】
前記ケースと前記回動プレートとの間に前記プーリーと前記伝達機構とを支持したことを特徴とする請求項２又は３記載の日射遮蔽装置の操作装置。
【請求項５】
前記ケース及び前記回動プレートを前記支持ブラケットに対し任意角度に保持する保持装置を備えたことを特徴とする請求項２乃至４のいずれか１項に記載の日射遮蔽装置の操作装置。
【請求項６】
前記支軸に対し前記ケースをその基端部において回動可能に支持し、
前記伝達機構は複数の平歯車を含み、それら平歯車の列における１段目の平歯車を前記プーリーに一体に形成し、前記プーリーを前記１段目の平歯車から前記巻取軸の軸方向中央に向かって突出するように設けるとともに、前記ケースの先端部に支持したことを特徴とする請求項１記載の日射遮蔽装置の操作装置。
【請求項７】
前記ケースには前記プーリーを覆うカバーを設け、前記カバーは前記ケースから前記巻取軸の軸方向中央に向かって突出することを特徴とする請求項６記載の日射遮蔽装置の操作装置。
【請求項８】
前記伝達機構は、
前記プーリーと一体に形成された駆動歯車と、
前記駆動歯車に噛み合う中間歯車と、
前記中間歯車の回転を前記巻取軸に伝達する伝達歯車と
を備えたことを特徴とする請求項４乃至７のいずれか１項に記載の日射遮蔽装置の操作装置。
【請求項９】
前記ケースには、前記操作コードをガイドするガイド部を設け、前記ガイド部を下方に開口したことを特徴とする請求項１乃至８のいずれか１項に記載の日射遮蔽装置の操作装置。
【請求項１０】
前記駆動機構及び前記ケースを前後方向に線対称状に形成したことを特徴とする請求項１乃至９のいずれか１項に記載の日射遮蔽装置の操作装置。
【請求項１１】
取付面に固定される一対の支持ブラケットに回転可能に支持される巻取軸と、
前記巻取軸の回転に基づいて昇降される日射遮蔽材と、
前記巻取軸の一端側の領域に設けられるプーリーと、
前記プーリーに掛装される操作コードと、
前記操作コードの操作により前記巻取軸を回転駆動する駆動機構と
を備えた日射遮蔽装置において、
前記駆動機構は、
前記プーリーを回転可能に支持し、前記支持ブラケットに固定される支軸から垂下されると共に、前記操作コードの前後方向の牽引角に応じた角度で傾斜するよう前記支持ブラケットに対して前記巻取軸の軸線を中心に前後に回動可能なケースと、
前記ケースに設けられ、前記プーリーの回転を前記巻取軸に伝達する伝達機構と
を備えたことを特徴とする日射遮蔽装置の操作装置。
【請求項１２】
前記プーリーは、前記巻取軸とは同軸上ではない位置において前記ケースに回転可能に支持されることを特徴とする請求項１乃至１１のいずれか１項に記載の日射遮蔽装置の操作装置。
【請求項１３】
前記ケースは前記支持ブラケットに対し前記巻取軸と同じ側に配置されていることを特徴とする請求項１乃至１２のいずれか１項に記載の日射遮蔽装置の操作装置。
【手続補正２】
【補正対象書類名】明細書
【補正対象項目名】００１２
【補正方法】変更
【補正の内容】
【００１２】
本発明では、取付面に固定される一対の支持ブラケットに回転可能に支持される巻取軸と、前記巻取軸の回転に基づいて昇降される日射遮蔽材と、前記巻取軸の一端側の領域に設けられるプーリーと、前記プーリーに掛装される操作コードと、前記操作コードの操作により前記巻取軸を回転駆動する駆動機構とを備えた日射遮蔽装置において、前記駆動機構は、前記プーリーを回転可能に支持し、前記支持ブラケットに対し前記巻取軸の軸線を中心に前後に回動可能で且つ前記支持ブラケットに固定される支軸から自重により垂下されるケースと、前記ケースに設けられ、前記プーリーの回転を前記巻取軸に伝達する伝達機構とを備えた。
【手続補正３】
【補正対象書類名】明細書
【補正対象項目名】００１３
【補正方法】変更
【補正の内容】
【００１３】
本発明の一態様では、前記ケースを合成樹脂で形成するとともに、前記ケースに金属板で形成した回動プレートを取着した。
【手続補正４】
【補正対象書類名】明細書
【補正対象項目名】００１７
【補正方法】変更
【補正の内容】
【００１７】
本発明の一態様では、前記支軸に対し前記ケースをその基端部において回動可能に支持し、前記伝達機構は複数の平歯車を含み、それら平歯車の列における１段目の平歯車を前記プーリーに一体に形成し、前記プーリーを前記１段目の平歯車から前記巻取軸の軸方向中央に向かって突出するように設けるとともに、前記ケースの先端部に支持した。
【手続補正５】
【補正対象書類名】明細書
【補正対象項目名】００２２
【補正方法】変更
【補正の内容】
【００２２】
また、本発明では、取付面に固定される一対の支持ブラケットに回転可能に支持される巻取軸と、前記巻取軸の回転に基づいて昇降される日射遮蔽材と、前記巻取軸の一端側の領域に設けられるプーリーと、前記プーリーに掛装される操作コードと、前記操作コードの操作により前記巻取軸を回転駆動する駆動機構と
を備えた日射遮蔽装置において、前記駆動機構は、前記プーリーを回転可能に支持し、前記支持ブラケットに固定される支軸から垂下されると共に、前記操作コードの前後方向の牽引角に応じた角度で傾斜するよう前記支持ブラケットに対して前記巻取軸の軸線を中心に前後に回動可能なケースと、前記ケースに設けられ、前記プーリーの回転を前記巻取軸に伝達する伝達機構とを備えた。
本発明の一態様では、前記プーリーは、前記巻取軸とは同軸上ではない位置において前記ケースに回転可能に支持される。
本発明の一態様では、前記ケースは前記支持ブラケットに対し前記巻取軸と同じ側に配置される。
【国際調査報告】
2012161195.tif 000018
2012161195.tif 000019